(57)【要約】【課題】基地局からの送信出力変更要求に対する当該携帯無線端末の送信出力の状況を段階的に表示することにより、ユーザーが当該携帯無線端末から基地局へ送信する通信環境の良否を容易に確認できるようにする。【解決手段】携帯電話機内の制御部は、基地局から送信された送信電力指示情報をアンテナ及び無線部を介して入手し、該指示情報に従って携帯電話機から基地局へ送信される送信信号の電力レベルを制御するとともに、携帯電話機内の記憶部に格納されているテーブル（図３）を参照することにより、当該携帯電話機から送信している前記送信信号の電力レベルと対応しているアンテナバーピクト表示本数を判定し、判定結果をアンテナバーピクト表示情報として携帯電話機の表示部に表示させる。【選択図】図３
2008177936.tif 000002
【特許請求の範囲】
【請求項１】
基地局から受信した送信出力制御信号により制御された送信信号の電力レベルに応じたアンテナバーピクト表示を行うことを特徴とする携帯無線端末におけるアンテナバーピクト表示方法。
【請求項２】
前記携帯無線端末から送信可能な送信電力レベルを複数の区分に分割するとともに送信中の前記電力レベルが小さい区分に含まれている程前記アンテナバーピクトの表示本数が多くなるように前記送信電力レベルの各区分と前記アンテナバーピクトの表示本数とを対応させて登録した送信電力用テーブルを参照して、送信中の前記電力レベルを前記アンテナバーピクトにより表示することを特徴とする請求項１に記載の携帯無線端末におけるアンテナバーピクト表示方法。
【請求項３】
前記基地局からの受信電界レベルを複数の区分に分割するとともに該受信電界レベルが大きい区分ほどアンテナバーピクトの表示本数が多くなるように前記受信電界レベルの各区分と前記アンテナバーピクトの表示本数とを対応させて登録した受信電界用テーブルを参照し、前記送信電力用テーブルを参照することにより求めた前記アンテナバーピクトの表示本数と前記受信電界用テーブルを参照することにより求めた前記アンテナバーピクトの表示本数のうち、表示本数の少ない方のアンテナバーピクトを表示することを特徴とする請求項２に記載の携帯無線端末におけるアンテナバーピクト表示方法。
【請求項４】
前記基地局から受信した受信信号の誤り率を複数の区分に分割するとともに該誤り率が小さい区分ほどアンテナバーピクトの表示本数が多くなるように前記誤り率の各区分と前記アンテナバーピクトの表示本数とを対応させて登録した誤り率用テーブルを参照し、前記送信電力用テーブルを参照することにより求めた前記アンテナバーピクトの表示本数と前記受信電界用テーブルを参照することにより求めた前記アンテナバーピクトの表示本数と、前記誤り率用テーブルを参照することにより求めた前記アンテナバーピクトの表示本数のうち、表示本数の最も少ないアンテナバーピクトを表示することを特徴とする請求項３に記載の携帯無線端末におけるアンテナバーピクト表示方法。
【請求項５】
前記基地局から受信した受信信号の誤り率を複数の区分に分割するとともに該誤り率が小さい区分ほどアンテナバーピクトの表示本数が多くなるように前記誤り率の各区分と前記アンテナバーピクトの表示本数とを対応させて登録した誤り率用テーブルを参照し、前記送信電力用テーブルを参照することにより求めた前記アンテナバーピクトの表示本数と前記誤り率用テーブルを参照することにより求めた前記アンテナバーピクトの表示本数のうち、表示本数の少ない方のアンテナバーピクトを表示することを特徴とする請求項２に記載の携帯無線端末におけるアンテナバーピクト表示方法。
【請求項６】
基地局から受信した送信出力制御信号により制御された送信電力で基地局との間の無線通信を行う機能を有するとともに、該基地局との間の通信品質の目安を示すアンテナバーピクト表示手段を備えた携帯無線端末において、
当該携帯無線端末から送信可能な送信電力レベルを複数の区分に分割するとともに該送信電力レベルが小さい区分ほどアンテナバーピクトの表示本数が多くなるように前記送信電力レベルの各区分と前記アンテナバーピクトの表示本数とを対応させて登録した送信電力用テーブルを備え、前記アンテナバーピクト表示手段は、該送信電力用テーブルを参照することにより送信中の前記送信電力レベルに応じたアンテナバーピクト表示を行う機能を有していることを特徴とする携帯無線端末。
【請求項７】
前記基地局から受信した受信電界レベルを検出する手段と、受信可能な受信電界レベルを複数の区分に分割するとともに該受信電界レベルが大きい区分ほどアンテナバーピクトの表示本数が多くなるように前記受信電界レベルの各区分と前記アンテナバーピクトの表示本数とを対応させて登録した受信電界用テーブルを備え、前記アンテナバーピクト表示手段は、前記送信電力用テーブルを参照することにより前記送信中の前記送信電力レベルから求めた前記アンテナバーピクトの表示本数と、前記受信電界用テーブルを参照することにより前記受信した受信電界レベルから求めたアンテナバーピクトの表示本数を比較して、表示本数の少ない方のアンテナバーピクトを表示する機能を有していることを特徴とする請求項６に記載の携帯無線端末。
【請求項８】
前記基地局から受信した受信信号の誤り率を検出する手段と、受信信号の誤り率を複数の区分に分割するとともに該誤り率が小さい区分ほどアンテナバーピクトの表示本数が多くなるように前記誤り率の各区分と前記アンテナバーピクトの表示本数とを対応させて登録した誤り率用テーブルを備え、前記アンテナバーピクト表示手段は、前記送信電力用テーブルを参照することにより前記送信中の前記送信電力レベルから求めた前記アンテナバーピクトの表示本数と、前記受信電界用テーブルを参照することにより前記受信した受信電界レベルから求めたアンテナバーピクトの表示本数と、前記誤り率用テーブルを参照することにより前記受信した受信信号の誤り率から求めたアンテナバーピクトの表示本数を比較して、表示本数の最も少ないアンテナバーピクトを表示する機能を有していることを特徴とする請求項７に記載の携帯無線端末。
【請求項９】
前記基地局から受信した受信信号の誤り率を検出する手段と、受信信号の誤り率を複数の区分に分割するとともに該誤り率が小さい区分ほどアンテナバーピクトの表示本数が多くなるように前記誤り率の各区分と前記アンテナバーピクトの表示本数とを対応させて登録した誤り率用テーブルを備え、前記アンテナバーピクト表示手段は、前記送信電力用テーブルを参照することにより前記送信中の前記送信電力レベルから求めた前記アンテナバーピクトの表示本数と、前記誤り率用テーブルを参照することにより前記受信した受信信号の誤り率から求めたアンテナバーピクトの表示本数を比較して、表示本数の少ない方のアンテナバーピクトを表示する機能を有していることを特徴とする請求項６に記載の携帯無線端末。
【発明の詳細な説明】
【技術分野】
【０００１】
本発明は、携帯電話機等の携帯無線端末の表示部に通信品質の目安として表示されるアンテナバーピクトに関する。
【背景技術】
【０００２】
携帯電話機等の携帯無線端末においては、待ち受け中や通信中に、携帯無線端末の現在位置から所定強度の信号が届く範囲内の最寄りの基地局から所定の周波数帯で送信される信号の受信レベルを常時測定し、受信電界強度レベルと予め対応付けられた本数のアンテナバーピクトを表示することにより、携帯無線端末の受信品質の目安としてユーザーに間接的に通知するように構成されている（例えば、特許文献１〜３参照）。このアンテナバーピクトの表示は、当該携帯無線端末が基地局から受信した信号の受信レベルが良好である程、バーピクトの本数が多くなるように表示される。
【０００３】
【特許文献１】特開２００２−１２４９０９号公報
【特許文献２】特開２００２−１５８６０７号公報
【特許文献３】特開２００２−３７４５７５号公報
【発明の開示】
【発明が解決しようとする課題】
【０００４】
上記従来の携帯電話の場合、基地局からの受信信号の状態を判定してアンテナバーピクトを表示しているので、アンテナバーピクト表示本数が十分な受信電界状態であることを示している場合であっても、携帯電話から基地局への送信信号の到達条件が厳しい環境にある場合には、送信信号の未達等により通信できないことがある。そのため、アンテナバーピクト表示が十分な受信電界状態を示しているにもかかわらず送信信号の未達が発生することによって、ユーザーに無用な不安を生じさせることになる。
【０００５】
特許文献１では、基地局からの送信出力増大要求に対して、当該携帯電話装置が送信可能な最大送信出力に達して飽和している状態がある時間以上継続したときには、送信信号が相手に届かない状態であると見なして上り回線通話品質アラームを送出し、携帯端末装置の使用者に自分が使用している携帯端末装置の発した信号が基地局に届いていないことを早急に知らしめることにより、そのような問題の解消を図ってユーザーの利便性を高めている。
【０００６】
しかし、特許文献１記載の発明では、当該携帯電話装置が送信可能な最大送信出力に達するまでは上記上り回線通話品質アラームが送出されないので、送信信号の未達が発生することをそれ以前に予測することができず、上り回線通話品質アラームが送出された段階では既に通信が途絶されている状況となっている虞があるという問題がある。
【０００７】
本発明の目的は、上記問題点に鑑み、基地局からの送信出力変更要求に対する当該携帯無線端末の送信出力の状況を段階的に表示することにより、ユーザーが当該携帯無線端末から基地局へ送信する通信環境の良否を容易に確認可能にする手段を提供することにある。
【課題を解決するための手段】
【０００８】
本発明のアンテナバーピクト表示方法は、基地局から受信した送信出力制御信号により制御された送信信号の電力レベルに応じたアンテナバーピクト表示を行うことを特徴とする。
【０００９】
具体的には、例えば、前記携帯無線端末から送信可能な送信電力レベルを複数の区分に分割するとともに送信中の前記電力レベルが小さい区分に含まれている程前記アンテナバーピクトの表示本数が多くなるように前記送信電力レベルの各区分と前記アンテナバーピクトの表示本数とを対応させて登録した送信電力用テーブルを参照し、送信中の前記電力レベルが含まれている区分に対応する前記アンテナバーピクトの本数を表示することにより実現可能である。
【００１０】
本発明によれば、携帯電話機等の携帯無線端末から基地局への送信電力が大きい場合には、表示部に表示されるアンテナバーピクトの本数が少なく表示されるので、ユーザーは、表示部に表示されるアンテナバーピクトの本数が少ないほど送信信号の基地局への到達条件が厳しい環境にあることを確認することができる。
【００１１】
また、前記基地局からの受信電界レベルを複数の区分に分割するとともに該受信電界レベルが大きい区分ほどアンテナバーピクトの表示本数が多くなるように前記受信電界レベルの各区分と前記アンテナバーピクトの表示本数とを対応させて登録した受信電界用テーブルを参照し、前記送信電力用テーブルを参照することにより求めた前記アンテナバーピクトの表示本数と前記受信電界用テーブルを参照することにより求めた前記アンテナバーピクトの表示本数のうち、表示本数の少ない方のアンテナバーピクトを表示することも可能である。
【００１２】
本実施例によれば、基地局からの受信品質と基地局への送信品質のうち、より通信条件の悪い方を表示することができるので、基地局との間の通信環境を一層的確に確認することができる。
【００１３】
また、前記基地局から受信した受信信号の誤り率を複数の区分に分割するとともに該誤り率が小さい区分ほどアンテナバーピクトの表示本数が多くなるように前記誤り率の各区分と前記アンテナバーピクトの表示本数とを対応させて登録した誤り率用テーブルを参照し、前記送信電力用テーブルを参照することにより求めた前記アンテナバーピクトの表示本数と前記受信電界用テーブルを参照することにより求めた前記アンテナバーピクトの表示本数と、前記誤り率用テーブルを参照することにより求めた前記アンテナバーピクトの表示本数のうち、表示本数の最も少ないアンテナバーピクトを表示することも可能である。
【００１４】
あるいは、前記基地局から受信した受信信号の誤り率を複数の区分に分割するとともに該誤り率が小さい区分ほどアンテナバーピクトの表示本数が多くなるように前記誤り率の各区分と前記アンテナバーピクトの表示本数とを対応させて登録した誤り率用テーブルを参照し、前記送信電力用テーブルを参照することにより求めた前記アンテナバーピクトの表示本数と前記誤り率用テーブルを参照することにより求めた前記アンテナバーピクトの表示本数のうち、表示本数の少ない方のアンテナバーピクトを表示することも可能である。
【００１５】
また本発明の携帯無線端末は、基地局から受信した送信出力制御信号により制御された送信電力で基地局との間の無線通信を行う機能を有するとともに、該基地局との間の通信品質の目安を示すアンテナバーピクト表示手段を備え、該アンテナバーピクト表示手段は、当該携帯無線端末から送信可能な送信電力レベルを複数の区分に分割するとともに該送信電力レベルが小さい区分ほどアンテナバーピクトの表示本数が多くなるように前記送信電力レベルの各区分と前記アンテナバーピクトの表示本数とを対応させて登録した送信電力用テーブルと、該送信電力用テーブルを参照することにより送信中の前記送信電力レベルに応じたアンテナバーピクト表示を行う機能を有していることを特徴としている。
【００１６】
また、前記基地局から受信した受信電界レベルを検出する手段と、受信可能な受信電界レベルを複数の区分に分割するとともに該受信電界レベルが大きい区分ほどアンテナバーピクトの表示本数が多くなるように前記受信電界レベルの各区分と前記アンテナバーピクトの表示本数とを対応させて登録した受信電界用テーブルを備え、前記アンテナバーピクト表示手段は、前記送信電力用テーブルを参照することにより前記送信中の前記送信電力レベルから求めた前記アンテナバーピクトの表示本数と、前記受信電界用テーブルを参照することにより前記受信した受信電界レベルから求めたアンテナバーピクトの表示本数を比較して、表示本数の少ない方のアンテナバーピクトを表示する機能を有する構成とすることもできる。
【００１７】
さらに、前記基地局から受信した受信信号の誤り率を検出する手段と、受信信号の誤り率を複数の区分に分割するとともに該誤り率が小さい区分ほどアンテナバーピクトの表示本数が多くなるように前記誤り率の各区分と前記アンテナバーピクトの表示本数とを対応させて登録した誤り率用テーブルを備え、前記アンテナバーピクト表示手段は、前記送信電力用テーブルを参照することにより前記送信中の前記送信電力レベルから求めた前記アンテナバーピクトの表示本数と、前記受信電界用テーブルを参照することにより前記受信した受信電界レベルから求めたアンテナバーピクトの表示本数と、前記誤り率用テーブルを参照することにより前記受信した受信信号の誤り率から求めたアンテナバーピクトの表示本数を比較して、表示本数の最も少ないアンテナバーピクトを表示する機能を有する構成とすることもできる。
【００１８】
あるいは、前記基地局から受信した受信信号の誤り率を検出する手段と、受信信号の誤り率を複数の区分に分割するとともに該誤り率が小さい区分ほどアンテナバーピクトの表示本数が多くなるように前記誤り率の各区分と前記アンテナバーピクトの表示本数とを対応させて登録した誤り率用テーブルを備え、前記アンテナバーピクト表示手段は、前記送信電力用テーブルを参照することにより前記送信中の前記送信電力レベルから求めた前記アンテナバーピクトの表示本数と、前記誤り率用テーブルを参照することにより前記受信した受信信号の誤り率から求めたアンテナバーピクトの表示本数を比較して、表示本数の少ない方のアンテナバーピクトを表示する機能を有する構成とすることもできる。
【発明の効果】
【００１９】
本発明においては、十分な受信電界がある場合であっても、送信信号の基地局への到達条件が厳しい環境にある場合にはアンテナバーピクトに表示するバーの本数を少なく表示することができるので、ユーザーは、このアンテナバーピクト表示をみることにより、送信信号の未達等による通信失敗の可能性を未然に予測することができる。
【００２０】
また、送信中の送信電力レベルから求めた前記アンテナバーピクトの表示本数と、受信した受信電界レベルから求めたアンテナバーピクトの表示本数、あるいは受信した受信信号の誤り率から求めたアンテナバーピクトの表示本数を比較して、表示本数の最も少ないアンテナバーピクトを表示することにより、基地局との間の通信環境をより的確に把握することが可能となる。
【発明を実施するための最良の形態】
【００２１】
図１は、本発明が適用される携帯電話システムの例を示す概略図であり、図２は、本発明の実施形態における携帯電話機の要部を示す概略ブロック図である。
【００２２】
本実施形態の携帯電話機の構成は、アンテナバーピクト表示を行うための技術手段を除いて、従来の一般的な携帯電話機の構成と変わらないので、まず、一般的な携帯電話機における送信電力制御の仕組みについて説明する。
【００２３】
携帯電話機１は基地局２からの信号を受信し、該受信信号内に含まれる送信電力の指示情報を抽出する。携帯電話機１は前記指示情報に従った電力で基地局２への送信信号を送信するように制御される。さらに基地局２は携帯電話機１から送信される基地局２への送信信号を測定する。基地局２は、測定した特性が良い場合には、前記送信信号の電力を減少することが可能と判定し、逆に測定した特性が悪い場合には、前記送信信号の電力の増加が必要と判定する。基地局２は判定結果を前記送信電力の指示情報として反映させて携帯電話機１へ送信する。
【００２４】
携帯電話機１は、基地局２との間で電波の送受信を行う送受信アンテナ１０および無線部１１と、当該携帯電話機の各種動作制御を実行する制御部１２と、表示部１３と、記憶部１４等を備えている。制御部１２は、本実施形態と関連する機能として、無線部１１により受信され復調された受信データに含まれる前記送信電力の指示情報を抽出し、該抽出した前記送信電力の指示情報に基づいて無線部１２から送出する送信電力レベルを制御する機能を有しているが、本実施形態では、さらに、制御部１２は、前記送信電力の制御情報に対応するアンテナバーピクト表示を決定して表示部１３へ出力する機能を有している。
【００２５】
基地局２からの送信電力指示情報に従って制約される送信電力レベルとアンテナバーピクト表示の対応関係は、記憶部１４にアンテナバーピクト表示判定用テーブルとして格納されており、制御部１２は、前記送信電力の指示情報に基づいて無線部１２から送出する送信電力レベルを制御するとともに、前記テーブルを参照することにより、アンテナバーピクトの表示本数を決定して表示部１３へ出力する。表示部１３は、制御部１２から指定されたアンテナバーピクトの表示本数に従って携帯電話機１の表示画面３にアンテナバーピクト４を表示する。
【００２６】
図３は、本発明の第１の実施形態を示すアンテナバーピクト表示判定用テーブルである。以下、図１〜図３を参照して、本実施形態の動作について説明する。
【００２７】
携帯電話機１が基地局２と通信中、基地局２は携帯電話機１から送信される基地局２への送信信号を測定し、測定した特性が良好なときには携帯電話機１からの送信信号の電力を減少させるための指示情報を携帯電話機１へ送信し、測定した特性が悪いときには携帯電話機１からの送信信号の電力を増加させるための指示情報を携帯電話機１へ送信する。
【００２８】
携帯電話機１の制御部１２は、基地局２から送信された前記指示情報をアンテナ１０及び無線部１１を介して入手し、該指示情報に従って無線部１１から送信される送信信号の電力レベルを制御するとともに、記憶部１４に格納されているテーブル（図３）を参照することにより、無線部１１から送信される送信信号の電力レベルと対応しているアンテナバーピクト表示本数を抽出、判定して、判定結果をアンテナバーピクト表示情報として表示部１３へ送出する。
【００２９】
表示部１３は、制御部１２から送出されたアンテナバーピクト表示情報に従って、携帯電話機１の表示画面３に該当する本数からなるアンテナバーピクト４を表示する。例えば、送信信号の電力値を19dBmで送信するように制御している場合には、制御部１２は、記憶部１４に格納されているテーブル（図３）を参照することによって、この送信電力値からアンテナバーピクト表示は１本と判定し、判定結果をアンテナバーピクト表示情報として表示部１３へ送出するので、表示部１３は、携帯電話機１の表示画面３に１本のバーピクトが付加されたアンテナバーピクト４を表示する。
【００３０】
本実施形態では、前記の一般的な送信電力制御の仕組みから、携帯電話機１の送信電力が大きい場合は送信信号の基地局２への到達条件が厳しい環境にあると判定し、アンテナバーピクトの表示本数を減らすように表示させるので、ユーザーは、アンテナバーピクトの表示本数を確認することにより送信信号の未達が発生することを未然に予測することができる。
【００３１】
図４は、本発明の第２の実施形態を示すアンテナバーピクト表示判定用テーブルである。
【００３２】
本実施形態が適用される携帯無線端末は、アンテナ１０及び無線部１１を介して基地局から受信した信号の受信電界レベルを検出する受信電界検出部が追加されている点、および記憶部１４には図４に示すテーブルが格納されており、制御部１２は、図４に示すテーブルを参照してアンテナバーピクト表示制御を行っている点を除いて、第１の実施形態と同様である。以下、本実施形態の動作について説明する。
【００３３】
制御部１２は、アンテナ１０及び無線部１１を介して基地局２から受信した信号から送信電力指示情報を入手して、無線部１１から基地局２に送信される送信信号の電力レベルを制御するとともに、記憶部１４に格納されているテーブル（図４）を参照することにより、無線部１１から送信される送信信号の電力レベルと対応しているアンテナバーピクト表示本数を抽出する。また制御部１２は、上記受信電界検出部で検出された受信電界レベルを入手し、記憶部１４に格納されているテーブル（図４）を参照することにより、該入手した受信電界レベルと対応しているアンテナバーピクト表示本数を抽出する。
【００３４】
つぎに、抽出したこれら、送信信号の電力レベルと対応しているアンテナバーピクト表示本数と受信電界レベルと対応しているアンテナバーピクト表示本数を比較し、本数が少ないアンテナバーピクト表示を選択して、表示部１３へ送出する。表示部１３は、制御部１２から送出されたアンテナバーピクト表示情報に従って、携帯電話機１の表示画面３に該当する本数からなるアンテナバーピクト４を表示する。
【００３５】
例えば、携帯電話機１が-92dBmの受信電界値を検出していて、送信信号の電力値を19dBmで送信するように制御している場合は、制御部１２は、記憶部１４に格納されているテーブル（図４）を参照することにより、受信電界値からはアンテナバーピクト表示は２本、送信信号の電力値からはアンテナバーピクト表示は１本と判定されるため、アンテナバーピクト表示を１本とする判定結果が表示部１３へ送出され、表示画面３には、１本のバーピクトが付加されたアンテナバーピクト４が表示される。
【００３６】
本実施形態では、携帯電話機は表示するアンテナバーピクトの判定条件に、基地局からの信号の受信電界値と送信信号の電力値を用いており、受信電界値と送信電力値の双方の判定でアンテナバーピクトの本数の少ない方を画面表示に選択しているので、十分な受信電界がある場合でも、送信信号の基地局への到達条件が厳しい環境にある場合はアンテナバーピクトに表示するバーの本数が少なくなり、ユーザーは、より的確に基地局との間の通信環境を確認することができる。
【００３７】
図５は、本発明の第３の実施形態を示すアンテナバーピクト表示判定用テーブルである。
【００３８】
本実施形態が適用される携帯無線端末は、アンテナ１０及び無線部１１を介して基地局から受信した信号の誤り率(BER)を検出する受信信号誤り率検出部が追加されている点、および記憶部１４には図５に示すテーブルが格納されており、制御部１２は、図５に示すテーブルを参照してアンテナバーピクト表示制御を行っている点を除いて、第２の実施形態と同様である。以下、本実施形態の動作について説明する。
【００３９】
制御部１２は、アンテナ１０及び無線部１１を介して基地局２から受信した信号から送信電力指示情報を入手して、無線部１１から基地局２に送信される送信信号の電力レベルを制御するとともに、記憶部１４に格納されているテーブル（図５）を参照することにより、無線部１１から送信される送信信号の電力レベルと対応しているアンテナバーピクト表示本数を抽出する。また制御部１２は、上記受信電界検出部で検出された受信電界レベルを入手し、記憶部１４に格納されているテーブル（図５）を参照することにより、該入手した受信電界レベルと対応しているアンテナバーピクト表示本数を抽出する。さらに制御部１２は、上記受信信号誤り率検出部で検出された受信信号の誤り率を入手し、記憶部１４に格納されているテーブル（図５）を参照することにより、該入手した受信信号の誤り率と対応しているアンテナバーピクト表示本数を抽出する。
【００４０】
つぎに、抽出したこれら、送信信号の電力レベルと対応しているアンテナバーピクト表示本数と、受信電界レベルと対応しているアンテナバーピクト表示本数と、受信信号の誤り率と対応しているアンテナバーピクト表示本数とを比較し、本数が最も少ないアンテナバーピクト表示を選択して、表示部１３へ送出する。表示部１３は、制御部１２から送出されたアンテナバーピクト表示情報に従って、携帯電話機１の表示部３に制御部１２で選択された本数からなるアンテナバーピクト４を表示する。
【００４１】
例えば、携帯電話機１が-97dBmの受信電界値を検出し、0.1％の受信信号誤り率を検出していて、送信信号の電力値を24dBmで送信するように制御している場合は、制御部１２は、記憶部１４に格納されているテーブル（図５）を参照することにより、受信電界値からはアンテナバーピクト表示は１本、受信信号の誤り率からはアンテナバーピクト表示は２本、送信信号の電力値からはアンテナバーピクト表示は０本と判定されるため、アンテナバーピクト表示を０本とする判定結果が表示部１３へ送出され、表示部１３は携帯電話機１の表示部３に、バーピクトが付加されていないアンテナバーピクト４を表示する。
【００４２】
本実施形態では、受信電界値、受信信号の誤り率（BER）、送信電力の状態をアンテナバーピクト表示に反映しているので、送信信号の基地局への到達条件が厳しい環境にある場合、十分な受信電界があってもフェージング等の干渉により通信環境の厳しい場合のどちらの条件でもアンテナバーピクトに表示するバーの本数が少なくすることができるので、ユーザーは、より的確に基地局との間の通信環境を把握することができる。
【００４３】
なお上記実施形態では、送信電力条件でのアンテナバーピクト表示と受信電界値条件でのアンテナバーピクト表示の組み合わせ、および、送信電力条件でのアンテナバーピクト表示と受信電界値条件でのアンテナバーピクト表示および受信信号の誤り率(BER)条件でのアンテナバーピクト表示の組み合わせについて説明したが、送信電力条件でのアンテナバーピクト表示と受信信号の誤り率(BER)条件でのアンテナバーピクト表示を組み合わせることも可能である。
【図面の簡単な説明】
【００４４】
【図１】本発明が適用される携帯電話システムの例を示す概略図である。
【図２】本発明の実施形態における携帯電話機の要部を示す概略ブロック図である。
【図３】本発明の第１の実施形態を示すアンテナバーピクト表示判定用テーブルである。
【図４】本発明の第２の実施形態を示すアンテナバーピクト表示判定用テーブルである。
【図５】本発明の第３の実施形態を示すアンテナバーピクト表示判定用テーブルである。
【符号の説明】
【００４５】
１  携帯電話機
２  基地局
３  表示画面
４  アンテナバーピクト表示
１０  送受信アンテナ
１１  無線部
１２  制御部
１３  表示部
１４  記憶部
【図１】
2008177936.tif 000003
【図２】
2008177936.tif 000004
【図３】
2008177936.tif 000005
【図４】
2008177936.tif 000006
【図５】
2008177936.tif 000007